(57)【要約】【課題】外観に優れた駒連結構造のバンドを提供する。【解決手段】連結駒アセンブリ１０を複数備えるバンドは、内駒１０１を挟むように内駒１０１に隣接して各々配置された外駒１０２Ｌおよび外駒１０２Ｒと、外駒１０２Ｌの内駒１０１と反対側の外側面から外駒１０２Ｒの内駒１０１と反対側の外側面まで貫通する貫通孔の内部に配置され、外駒１０２Ｌ、内駒１０１および外駒１０２Ｒを回動可能に連結する連結ピン１０３および連結ピン１０４と、外駒１０２に対し、内駒１０１の反対側から内駒１０１に向かう方向に嵌合され、外駒１０２を内部に収容するキャップ１０７と、外駒１０２の外側面に開口する貫通孔１０２３に差し込まれ、キャップ１０７に設けられた貫通孔１０７１内に一方の端部が突起することによりキャップ１０７を外駒１０２に対し係止する係止ピン１０８を備えて構成される。【選択図】図１
2012165878.tif 000002
【特許請求の範囲】
【請求項１】
内駒と、
前記内駒を挟むように前記内駒に隣接して各々配置された第１の外駒および第２の外駒と、
前記第１の外駒の前記内駒と反対側の外側面から前記第２の外駒の前記内駒と反対側の外側面まで貫通する貫通孔の内部に配置され、前記第１の外駒、前記内駒および前記第２の外駒を回動可能に連結する連結ピンと、
前記第１の外駒に対し、前記内駒の反対側から前記内駒に向かう方向に嵌合され、前記第１の外駒を内部に収容するキャップと、
前記第１の外駒の外側面のうち、前記内駒に対向する部分および当該部分の反対側に位置する部分を除くいずれかの位置に開口する貫通孔または有底穴に差し込まれ、前記キャップに設けられた貫通孔内に一方の端部が突起することにより前記キャップを前記第１の外駒に対し係止する係止ピンと
を有する連結駒アセンブリを複数備えるバンド。
【請求項２】
前記複数の連結駒アセンブリのうちの少なくとも一の連結駒アセンブリに関し、
前記連結ピンは、前記第１の外駒の前記内駒と反対側の外側面から前記第２の外駒の前記内駒と反対側の外側面まで貫通する貫通孔の一方の開口部および他方の開口部のいずれかから差し込まれ、当該貫通孔の内部において互いに嵌合する２以上の部品を有し、
前記連結ピンの一方の端部および他方の端部は、前記内駒に対する前記第１の外駒および前記第２の外駒の、前記複数の連結駒アセンブリの幅方向の位置決めを行う
請求項１に記載のバンド。
【請求項３】
前記複数の連結駒アセンブリのうちの少なくとも一の連結駒アセンブリに関し、
前記第１の外駒の内部または前記内駒と反対側の外側面から、前記内駒を通り、前記第２の外駒の内部または前記内駒と反対側の外側面まで達する貫通孔の内部に配置され、前記第１の外駒、前記内駒および前記第２の外駒を回動可能に連結し、前記内駒に対する前記第１の外駒および前記第２の外駒の、前記複数の連結駒アセンブリの幅方向の位置決めを行わない連結ピンを備える
請求項２に記載のバンド。
【請求項４】
前記係止ピンの前記キャップに設けられた貫通孔内に突起する一方の端部は、外力に応じて押下され、当該外力の解放もしくは当該外力の解放後の再度の押下に応じて再び突起する
請求項１乃至３のいずれかに記載のバンド。
【発明の詳細な説明】
【技術分野】
【０００１】
本発明は、時計やブレスレット等の装飾品に使用される駒連結構造を備えるバンドに関する。
【背景技術】
【０００２】
時計やブレスレット等の装飾品に使用されるバンドには、複数の外駒と内駒とを互い違いに配置し、隣接する外駒と内駒とをそれぞれ連結軸にて連結する駒連結構造を備えるものが多くある。例えば、特許文献１には、バンド全体のねじれに対しても十分な強度を確保でき、且つ肌触りが良く、腕に良好にフィットさせることのできる駒連結構造を備えるバンドが開示されている。
【先行技術文献】
【特許文献】
【０００３】
【特許文献１】特開２００５−０３４２９３号公報
【発明の概要】
【発明が解決しようとする課題】
【０００４】
ところで、駒連結構造を備えるバンドの多くにおいては、連結軸の端部がバンドの側面に露出している。その場合、バンドを側方から見た場合の美観がよくない、という問題が伴う。
【０００５】
そこで、本発明は、比較的簡易な構造で、組み立ても容易でありながら、外観、特にバンドを側方から見たときの外観を美麗にすることを可能とする駒連結構造を提供することを目的とする。
【課題を解決するための手段】
【０００６】
本発明は、上記の目的に鑑みて想到されたものであり、
内駒と、
前記内駒を挟むように前記内駒に隣接して各々配置された第１の外駒および第２の外駒と、
前記第１の外駒の前記内駒と反対側の外側面から前記第２の外駒の前記内駒と反対側の外側面まで貫通する貫通孔の内部に配置され、前記第１の外駒、前記内駒および前記第２の外駒を回動可能に連結する連結ピンと、
前記第１の外駒に対し、前記内駒の反対側から前記内駒に向かう方向に嵌合され、前記第１の外駒を内部に収容するキャップと、
前記第１の外駒の外側面のうち、前記内駒に対向する部分および当該部分の反対側に位置する部分を除くいずれかの位置に開口する貫通孔または有底穴に差し込まれ、前記キャップに設けられた貫通孔内に一方の端部が突起することにより前記キャップを前記第１の外駒に対し係止する係止ピンと
を有する連結駒アセンブリを複数備えるバンド
を提供する（第１の実施態様）。
【０００７】
また、上記の第１の実施態様において、
前記複数の連結駒アセンブリのうちの少なくとも一の連結駒アセンブリに関し、
前記連結ピンは、前記第１の外駒の前記内駒と反対側の外側面から前記第２の外駒の前記内駒と反対側の外側面まで貫通する貫通孔の一方の開口部および他方の開口部のいずかから差し込まれ、当該貫通孔の内部において互いに嵌合する２以上の部品を有し、
前記連結ピンの一方の端部および他方の端部は、前記内駒に対する前記第１の外駒および前記第２の外駒の、前記複数の連結駒アセンブリの幅方向の位置決めを行う
構成を採用してもよい（第２の実施態様）。
【０００８】
また、上記の第２の実施態様において、
前記複数の連結駒アセンブリのうちの少なくとも一の連結駒アセンブリに関し、
前記第１の外駒の内部または前記内駒と反対側の外側面から、前記内駒を通り、前記第２の外駒の内部または前記内駒と反対側の外側面まで達する貫通孔の内部に配置され、前記第１の外駒、前記内駒および前記第２の外駒を回動可能に連結し、前記内駒に対する前記第１の外駒および前記第２の外駒の、前記複数の連結駒アセンブリの幅方向の位置決めを行わない連結ピンを備える
構成を採用してもよい（第３の実施態様）。
【０００９】
また、上記の第１乃至第３の実施態様において、
前記係止ピンの前記キャップに設けられた貫通孔内に突起する一方の端部は、外力に応じて押下され、当該外力の解放もしくは当該外力の解放後の再度の押下に応じて再び突起する
構成を採用してもよい（第４の実施態様）。
【発明の効果】
【００１０】
本発明の第１の実施態様にかかるバンドによれば、例えば、外駒にキャップを被せ、係止ピンを差し込むだけで、外駒側方から連結ピンの端部が見えなくなり、美麗な外観を備える駒連結構造が得られる。
【００１１】
本発明の第２の実施態様にかかるバンドによれば、外駒の外側面から内側方向に連結ピンを構成する２以上の部品の各々を差し込み、駒に設けられた貫通孔の内側でそれらを嵌合させることにより、容易に駒の連結ピンによる連結を行うことができる。また、それら連結ピンを構成する２以上の部品の嵌合を解くことで、容易に駒の連結を解除することもできる。
【００１２】
本発明の第３の実施態様にかかるバンドによれば、例えば、バンドの長さ調節等の目的で駒連結を解除したい場合に、各駒連結構造が備える複数の連結ピンの一部に関しては連結ピンの嵌合がそもそも行われておらず、その嵌合を解く必要がないため、その解除が容易に可能である。
【００１３】
本発明の第４の実施態様にかかるバンドによれば、係止ピンの端部を押下することにより容易にキャップの取り外しができ、例えばバンドの長さ調節を行うために駒連結を解除したい場合等に便利である。
【図面の簡単な説明】
【００１４】
【図１】図１は、本発明の第１実施形態にかかるユニット駒の分解状態を示す斜視図である。
【図２】図２は、本発明の第１実施形態にかかる外駒の断面図である。
【図３】図３は、本発明の第１実施形態にかかるユニット駒の断面図である。
【図４】図４は、本発明の第１実施形態にかかるユニット駒間の連結の仕組みを説明するための図である。
【図５】図５は、本発明の第１実施形態にかかる係止ピンの断面図である。
【図６】図６は、本発明の第１実施形態にかかる連結駒アセンブリの断面図である。
【図７】図７は、本発明の第１実施形態にかかるユニット駒間の連結の様子を示した図である。
【図８】図８は、本発明の第１実施形態にかかる連結駒アセンブリの一部を示した図である。
【図９】図９は、本発明の第１実施形態にかかる外駒にキャップを被せる手順を示した図である。
【図１０】図１０は、本発明の第１実施形態にかかるバンドの外観図である。
【図１１】図１１は、本発明の第２実施形態にかかるユニット駒の分解状態を示す斜視図である。
【図１２】図１２は、本発明の第２実施形態にかかる外駒の断面図である。
【図１３】図１３は、本発明の第２実施形態にかかるユニット駒間の連結の仕組みを説明するための図である。
【図１４】図１４は、本発明の第２実施形態にかかるユニット駒間の連結の様子を示した図である。
【図１５】図１５は、本発明の第２実施形態にかかる外駒にキャップを被せる手順を示した図である。
【図１６】図１６は、本発明の変形例にかかる係止ピンの側面図である。
【図１７】図１７は、本発明の変形例にかかる係止ピンおよび係止リングの外観図である。
【発明を実施するための形態】
【００１５】
［１．実施形態］
［１．１．第１実施形態］
以下、本発明の一具体例である実施形態を、図面を用いて説明する。
【００１６】
図１は、本実施形態にかかるバンド１を構成するユニット駒１０の分解状態を示す斜視図である。ユニット駒１０は、内駒１０１、外駒１０２Ｌ、外駒１０２Ｒ、連結ピン１０３、パイプ１０４で構成されている。連結ピン１０３は、長部品１０３１Ｌと短部品１０３１Ｒで構成され、それらが互いに嵌合することで連結ピン１０３となる。
【００１７】
外駒１０２Ｌおよび外駒１０２Ｒは同一の形状および構造を備えている。従って、以下、外駒１０２Ｒおよび外駒１０２Ｌを区別する必要がない場合、それらを単に外駒１０２と呼ぶ。
【００１８】
内駒１０１は、外駒１０２Ｌと接する側面から外駒１０２Ｒと接する側面まで貫通する２本の貫通孔、すなわち貫通孔１０１１および貫通孔１０１２を有している。本願において、貫通孔１０１１および貫通孔１０１２の貫通方向を幅方向と呼ぶ。なお、貫通孔１０１１および貫通孔１０１２はいずれも、単純な円柱形状の中空である。
【００１９】
外駒１０２は、内駒１０１と接する側面（以下、「内側面」という）からその反対側の側面（以下、「外側面」という）まで幅方向に貫通する２本の貫通孔、すなわち貫通孔１０２１および貫通孔１０２２を有している。また、外駒１０２は、図１における上面から底面まで貫通する１本の貫通孔、すなわち貫通孔１０２３を有している。以下、貫通孔１０２３の貫通方向を垂直方向と呼ぶ。
【００２０】
図２は、外駒１０２を、貫通孔１０２１および貫通孔１０２２の軸を含む平面で切断した場合の断面図である。図２に示されるように、貫通孔１０２２は単純な円柱形状の中空である。一方、貫通孔１０２１は、直径の異なる２つの円柱形状を連結した段差のある中空であり、外側面側の円柱形状の直径が内側面側の円柱形状の直径よりもやや大きい。
【００２１】
長部品１０３１Ｌは全体としてほぼ円柱形状をしており、その一方の端部（図１における右下側端部）に、長部品１０３１Ｌの中央部分よりやや細く形成され、その外側面上にリング状の凹凸が設けられた嵌合部を備えている。
【００２２】
また、長部品１０３１Ｌは、その他方の端部（図１における左上側端部）に、長部品１０３１Ｌの中央部分よりやや太く形成されたヘッド部を備えている。
【００２３】
短部品１０３１Ｒは全体としてほぼ円筒形状をしており、そのほぼ中央部分の円筒内側面上にはリング状の凹凸が設けられている。この凹凸により、短部品１０３１Ｒのほぼ中央部分は嵌合部として機能する。
【００２４】
また、短部品１０３１Ｒは、その一方の端部（図１における右下側端部）に、短部品１０３１Ｒの中央部分よりやや太く形成されたヘッド部を備えている。
【００２５】
パイプ１０４は単純な中空の円筒形状を有し、その外径が内駒１０１の貫通孔１０１２の直径とほぼ等しく、その内径が長部品１０３１Ｌのほぼ中央部分の直径よりやや大きい。
【００２６】
ユニット駒１０の組み立ての手順は例えば次のとおりである。まず、内駒１０１の貫通孔１０１２の中にパイプ１０４を差し込む。続いて、内駒１０１を幅方向に挟むように外駒１０２Ｌおよび外駒１０２Ｒを配置し、貫通孔１０１２の軸と外駒１０２Ｌおよび外駒１０２Ｒの貫通孔１０２１の軸とが一致するように位置を調整する。これにより、外駒１０２Ｌの貫通孔１０２１、内駒１０１の貫通孔１０１２および外駒１０２Ｒの貫通孔１０２１が連結され、外駒１０２Ｌの外側面から外駒１０２Ｒの外側面に至る１本の貫通孔が形成されることになる。
【００２７】
図３は、そのように配置された状態の内駒１０１、外駒１０２Ｌ、外駒１０２Ｒ、パイプ１０４を、貫通孔１０１１、貫通孔１０１２、貫通孔１０２１、貫通孔１０２２の軸を含む平面で切断した場合の断面図である。図３に示されるように、パイプ１０４の軸方向の長さは、貫通孔１０１２の軸方向の長さより僅かに長い。そのため、図３に示されるように、ユニット駒１０として組み立てられた際、パイプ１０４の端部が貫通孔１０１２の２つの開口部の各々から外側に僅かに突起し、内駒１０１と外駒１０２Ｌおよび外駒１０２Ｒの各々との間に適度な隙間が確保される。その結果、内駒１０１と、外駒１０２Ｌおよび外駒１０２Ｒとの間の回動が円滑となるよう構成されている。
【００２８】
続いて、外駒１０２Ｌの貫通孔１０２１に外側面側から長部品１０３１Ｌを、また外駒１０２Ｒの貫通孔１０２１に外側面側から短部品１０３１Ｒを、各々、図１に示す方向で差し込む。そして、長部品１０３１Ｌおよび短部品１０３１Ｒを幅方向内側に押し込むと、長部品１０３１Ｌの嵌合部の外側面上に設けられたリング状の凹凸と、短部品１０３１Ｒの内側面上に設けられたリング状の凹凸が互いに噛み合うことにより、それらの嵌合が行われる。
【００２９】
上記のように長部品１０３１Ｌと短部品１０３１Ｒが嵌合されると、長部品１０３１Ｌのヘッド部が外駒１０２Ｌの貫通孔１０２１の内壁面の段差部分に、また短部品１０３１Ｒのヘッド部が外駒１０２Ｒの貫通孔１０２１の内壁面の段差部分に各々フックされ、内駒１０１に対し外駒１０２Ｌおよび外駒１０２Ｒの幅方向外側への動きが規制される。その結果、内駒１０１に対する外駒１０２Ｌおよび外駒１０２Ｒの連結が行われ、ユニット駒１０の組み立てが完了する。
【００３０】
バンド１は、複数のユニット駒１０が幅方向および垂直方向を含む平面に垂直な方向（以下、「連結方向」と呼ぶ）に順次、幅方向の軸周りに回動可能に連結されることにより実現される。以下、１つのユニット駒１０に隣接する他のユニット駒１０をユニット駒１０’と呼び、ユニット駒１０’が備える各構成要素にはその符号に「’」を付すものとする。
【００３１】
図４は、ユニット駒１０とユニット駒１０’の連結の仕組みを説明するための図である。なお、図４においてはユニット駒１０’が備える全ての構成要素は示されておらず、ユニット駒１０との連結に関与する内駒１０１’のみが示されている。
【００３２】
ユニット駒１０とユニット駒１０’の内駒１０１’が連結されると、図４（ｂ）に示す連結駒アセンブリ１１となる。連結駒アセンブリ１１は、ユニット駒１０とユニット駒１０’の内駒１０１’に加え、それらの連結に要する構成要素として、連結ピン１０５、パイプ１０６、キャップ１０７Ｌ、キャップ１０７Ｒ、係止ピン１０８Ｌ、係止ピン１０８Ｒを備えている。
【００３３】
連結ピン１０５は単純な円柱形状の棒状体である。パイプ１０６は単純な中空の円筒形状を有し、その外径が内駒１０１’の貫通孔１０１１’の直径とほぼ等しく、その内径が連結ピン１０５の直径よりやや大きい。
【００３４】
キャップ１０７Ｌおよびキャップ１０７Ｒは同一の形状および構造を備えている。従って、以下、キャップ１０７Ｌおよびキャップ１０７Ｒを区別する必要がない場合、それらを単にキャップ１０７と呼ぶ。
【００３５】
キャップ１０７は概ね一の側面が開口した中空の箱状体であり、その中空部に外駒１０２を収容可能な大きさおよび形状を有している。また、キャップ１０７の図４における底面側の壁部のほぼ中央には鉛直方向に貫通する貫通孔１０７１が設けられている。
【００３６】
係止ピン１０８Ｌおよび係止ピン１０８Ｒは同一の形状および構造を備えている。従って、以下、係止ピン１０８Ｌおよび係止ピン１０８Ｒを区別する必要がない場合、それらを単に係止ピン１０８と呼ぶ。
【００３７】
係止ピン１０８は、一方の端部（図４における下側端部）に設けられたヘッド部を外部から所定以上の大きさの力で押下することにより、その長手方向の長さが短くなる構造を備えている。具体的には、係止ピン１０８は図５に示す構造を備えている。
【００３８】
すなわち、係止ピン１０８は概ね円筒形状のケーシング１０８１と、ケーシング１０８１内に収容されたヘッド部１０８２と、ヘッド部１０８２をケーシング１０８１の外側（図５における下方向）に押圧するようにケーシング１０８１内に収容されたコイルばね１０８３とを備えている。
【００３９】
ケーシング１０８１の他方の開口部（図５における下方側の開口部）の縁部には、円筒形状の軸に向かう方向、すなわち内側方向に突起し全体としてリング形状をなす鍔が設けられており、その鍔にヘッド部１０８２に設けられた段差がフックする。その結果、ヘッド部１０８２はコイルばね１０８３から図５における下方向への付勢を受けながら、ケーシング１０８１内に留まる。
【００４０】
ユニット駒１０にユニット駒１０’の内駒１０１’を連結し連結駒アセンブリ１１を組み立てる手順は例えば次のとおりである。まず、内駒１０１’の貫通孔１０１１’の中にパイプ１０６を差し込む。続いて、ユニット駒１０の外駒１０２Ｌおよび外駒１０２Ｒの間に内駒１０１’を配置し、貫通孔１０１１’の軸と外駒１０２Ｌおよび外駒１０２Ｒの貫通孔１０２２の軸とが一致するように位置を調整する。これにより、外駒１０２Ｌの貫通孔１０２２、内駒１０１’の貫通孔１０１１’および外駒１０２Ｒの貫通孔１０２２が連結され、外駒１０２Ｌの外側面から外駒１０２Ｒの外側面に至る１本の貫通孔が形成されることになる。
【００４１】
図６は、そのように配置された状態の内駒１０１、外駒１０２Ｌ、外駒１０２Ｒ、パイプ１０４、内駒１０１’、パイプ１０６を、貫通孔１０１１、貫通孔１０１２、貫通孔１０２１、貫通孔１０２２、貫通孔１０１１’、貫通孔１０１２’の軸を含む平面で切断した場合の断面図である。
【００４２】
図６に示されるように、パイプ１０６の軸方向の長さは、貫通孔１０１１’の軸方向の長さより僅かに長い。そのため、連結駒アセンブリ１１として組み立てられた際、パイプ１０６の端部が貫通孔１０１１’の２つの開口部の各々から外側に僅かに突起し、内駒１０１’と外駒１０２Ｌおよび外駒１０２Ｒの各々との間に適度な隙間が確保される。その結果、内駒１０１’と、外駒１０２Ｌおよび外駒１０２Ｒとの間の回動が円滑となるよう構成されている。
【００４３】
続いて、図７に示すように、外駒１０２Ｌの外側面側から貫通孔１０２２に連結ピン１０５を差し込む。なお、外駒１０２Ｒの外側面側から貫通孔１０２２に連結ピン１０５を差し込んでもよい。
【００４４】
続いて、外駒１０２Ｌおよび外駒１０２Ｒの各々の貫通孔１０２３に、例えば図７における上面側から、係止ピン１０８Ｌおよび係止ピン１０８Ｒの各々を、それらのヘッド部１０８２の側から挿入する。図８は、係止ピン１０８の貫通孔１０２３に対する挿入が行われた状態の連結駒アセンブリ１１の一部を示した図である。図８においては、内駒１０１および内駒１０１’の表示を省略している。すなわち、実際にはパイプ１０４を貫通孔１０１２内に収容するように内駒１０１が、またパイプ１０６を貫通孔１０１１’内に収容するように内駒１０１’が連結されている。
【００４５】
続いて、キャップ１０７Ｌおよびキャップ１０７Ｒの各々を外駒１０２Ｌおよび外駒１０２Ｒに被せる。図９は、外駒１０２にキャップ１０７を被せる様子を示した図である。ただし、図９においては、図４における底面側が上面側となるように、幅方向を軸に１８０度回転が行われている。
【００４６】
より具体的には、キャップ１０７の開口部が外駒１０２の外側面に一致するようにそれらの位置決めをした後、キャップ１０７を外駒１０２に対し幅方向内側（図９における矢印の方向）に向けてスライドさせ、キャップ１０７の中空部に外駒１０２を収容させる。なお、キャップ１０７のスライドの途中、キャップ１０７の端部が係止ピン１０８のヘッド部１０８２にぶつかるのを回避するため、然るべきタイミングで、例えばペン先などを用いてヘッド部１０８２を所定以上の力で押下することにより、ヘッド部１０８２をキャップ１０７の内部に収納させる。
【００４７】
外駒１０２に対しキャップ１０７が被せられると、キャップ１０７に設けられた貫通孔１０７１に係止ピン１０８のヘッド部１０８２が嵌り込み、キャップ１０７が外駒１０２に対し係止される。
【００４８】
外駒１０２にキャップ１０７が被せられることにより、外駒１０２と、その外側面に露出する連結ピン１０３、連結ピン１０５の端部がキャップ１０７に覆われ、外部から視認できなくなる。その結果、連結駒アセンブリ１１は内駒１０１、内駒１０１’、キャップ１０７Ｌ、キャップ１０７Ｒの連結体として見え、シンプルな高級感のある外観を備えることとなる。
【００４９】
また、連結ピン１０５は幅方向に自由に移動可能であるが、キャップ１０７Ｌおよびキャップ１０７Ｒにより幅方向外側に向かう移動が規制されるため、連結ピン１０５が脱落することはなく、ユニット駒１０と内駒１０１’との連結が確保されることになる。
【００５０】
以上が連結駒アセンブリ１１の組み立ての手順であるが、実際には連結駒アセンブリ１１の内駒１０１’はユニット駒１０に隣接するユニット駒１０’の外駒１０２Ｌ’および外駒１０２Ｒ’に連結されている。従って、複数のユニット駒１０を連結方向に順次並べ、連結駒アセンブリ１１を組み立てる際の手順に従い、それらを連結ピン１０５で連結した後、外駒１０２にキャップ１０７を被せてその連結を確保することにより、バンド１を構成することができる。図１０は、そのように構成されたバンド１の外観を示した図である。
【００５１】
上述した構造を備えるバンド１は、それを構成する任意の内駒１０１とその両側に位置する外駒１０２の連結位置において、容易にその連結を解除することができる。具体的には、ユーザは連結を解除したい連結位置の係止ピン１０８のヘッド部１０８２を、例えばペン先などを用いて所定以上の力で押下しながら、キャップ１０７を幅方向外側にスライドさせる。その際、貫通孔１０７１に嵌合していた係止ピン１０８のヘッド部１０８２による係止が解除されるため、ユーザはキャップ１０７を容易に外駒１０２から取り外すことができる。
【００５２】
続いて、ユーザは露出した連結ピン１０５の一方の端部が下方になるようにバンド１を傾ける。その結果、連結ピン１０５が重力に従い、貫通孔１０１１およびその両側に連結された貫通孔１０２２から脱落する。その結果、内駒１０１とその両側の外駒１０２との連結が解除される。
【００５３】
上記のような駒連結の解除を任意の２カ所の連結位置で行うと、それらの連結位置の間に位置していた１以上のユニット駒１０をバンド１から取り外すことができる。その後、２本に分断されているバンド１を上述した連結駒アセンブリ１１の組み立ての手順に従い連結することにより、バンド１の長さを望ましい長さとなるように縮めることができる。
【００５４】
また、上記のような駒連結の解除を任意の連結位置で行いバンド１を２本に分断した後、それらの２本のバンド片の間に、１以上のユニット駒１０が連結されて構成された別のバンド片を挟むように配置し、それら３本のバンド片を上述した連結駒アセンブリ１１の組み立ての手順に従い連結することにより、バンド１の長さを望ましい長さとなるように伸ばすことができる。
【００５５】
このように、本実施形態にかかるバンド１によれば、ユーザは特別な工具を用いることなく、ペン先等の身の回り品を用いることで容易にその長さ調整を行うことができる。
【００５６】
［１．２．第２実施形態］
以下、本発明の第２実施形態にかかるバンド２を説明する。ただし、バンド２の外観は第１実施形態にかかるバンド１の外観（図１０参照）と概ね同様であるため、その図示を省略する。また、バンド２の構成および組み立ての手順は多くの点でバンド１と共通している。従って、以下の説明においてはバンド２がバンド１と異なる点を中心に説明する。また、バンド２が備える構成部のうちバンド１が備える構成部と共通するもの、もしくは対応するものに関しては、バンド１において用いた符号と同じ符号を用いるものとする。
【００５７】
図１１は、バンド２を構成するユニット駒２０の分解状態を示す斜視図である。ユニット駒２０の構成はバンド１を構成するユニット駒１０と比較し、外駒が備える幅方向に伸びる２本の貫通孔の一方の形状が異なる点が相違しており、他の点は全てユニット駒１０と同様である。
【００５８】
図１２は、ユニット駒２０を構成する外駒２０２を、幅方向に伸びる２本の貫通孔、すなわち貫通孔１０２１および貫通孔２０２２の軸を含む平面で切断した場合の断面図である。図１２に示されるように、外駒２０２の貫通孔２０２２は、貫通孔１０２１と同様に、直径の異なる２つの円柱形状を連結した段差のある中空であり、外側面側の円柱形状の直径が内側面側の円柱形状の直径よりもやや大きい。
【００５９】
図１３は、ユニット駒２０と、そのユニット駒２０に隣接する同様の構造を備えるユニット駒２０’との連結の仕組みを説明するための図である。なお、図１３においてはユニット駒２０’が備える全ての構成要素は示されておらず、ユニット駒２０との連結に関与する内駒１０１’のみが示されている。
【００６０】
ユニット駒２０とユニット駒２０’の内駒１０１’が連結されると、図１３（ｂ）に示す連結駒アセンブリ２１となる。連結駒アセンブリ２１は、ユニット駒２０とユニット駒２０’の内駒１０１’に加え、それらの連結に要する構成要素として、連結ピン２０５、パイプ１０６、キャップ１０７Ｌ、キャップ１０７Ｒ、係止ピン２０８Ｌ、係止ピン２０８Ｒ、係止リング２０９Ｌ、係止リング２０９Ｒを備えている。連結ピン２０５は、長部品２０５１Ｌと短部品２０５１Ｒで構成され、それらが互いに嵌合することで連結ピン２０５となる。
【００６１】
係止ピン２０８Ｌと係止ピン２０８Ｒとは同じ構造を備えており、係止ピン２０８Ｌと係止ピン２０８Ｒとを区別する必要がない場合、それらを単に係止ピン２０８と呼ぶ。また係止リング２０９Ｌと係止リング２０９Ｒとは同じ構造を備えており、係止リング２０９Ｌと係止リング２０９Ｒとを区別する必要がない場合、それらを単に係止リング２０９と呼ぶ。
【００６２】
連結駒アセンブリ２１は、連結駒アセンブリ１１と比較して、まず単純な円柱形の棒状体である連結ピン１０５に代えて、２ピースからなる連結ピン２０５によりユニット駒２０とユニット駒２０’の内駒１０１’との連結が行われる点が異なっている。連結ピン２０５の構造は、連結ピン１０３の構造と同様である。
【００６３】
連結駒アセンブリ２１はまた、連結駒アセンブリ１１と比較して、押下可能なヘッド部１０８２を備える係止ピン１０８に代えて、係止ピン２０８と、係止ピン２０８を外駒２０２の貫通孔１０２３内に固定するための係止リング２０９が用いられる点が異なっている。
【００６４】
係止ピン２０８は円柱形状の棒状体であり、例えば外駒２０２の貫通孔１０２３に差し込まれる側の端部が先に向かうに従い細くなるようにテーパー加工が施されている。このテーパー加工は係止ピン２０８を外駒２０２に被された状態のキャップ１０７の貫通孔１０７１およびそれに連続する外駒２０２の貫通孔１０２３内に収容された係止リング２０９に挿入する際の作業を容易とするためのものである。
【００６５】
係止リング２０９はその長手方向に垂直な平面で切断した断面がＣ字形状となる切り欠きの設けられた円筒棒状体である。その内径は係止ピン２０８の外径よりやや小さく、その外径は外駒２０２の貫通孔１０２３の内径よりやや小さい。
【００６６】
ユニット駒２０にユニット駒２０’の内駒１０１’を連結し連結駒アセンブリ２１を組み立てる手順は例えば次のとおりである。まず、内駒１０１’の貫通孔１０１１’の中にパイプ１０６を差し込む。続いて、ユニット駒２０の外駒２０２Ｌおよび外駒２０２Ｒの間に内駒１０１’を配置し、貫通孔１０１１’の軸と外駒２０２Ｌおよび外駒２０２Ｒの貫通孔２０２２の軸とが一致するように位置を調整する。これにより、外駒２０２Ｌの貫通孔２０２２、内駒１０１’の貫通孔１０１１’および外駒２０２Ｒの貫通孔２０２２が連結され、外駒２０２Ｌの外側面から外駒２０２Ｒの外側面に至る１本の貫通孔が形成されることになる。
【００６７】
続いて、図１４に示すように、外駒２０２Ｌの貫通孔２０２２に外側面側から長部品２０５１Ｌを、また外駒２０２Ｒの貫通孔２０２２に外側面側から短部品２０５１Ｒを、各々差し込む。そして、長部品２０５１Ｌおよび短部品２０５１Ｒを幅方向内側に押し込むと、長部品２０５１Ｌと短部品２０５１Ｒの嵌合が行われる。
【００６８】
上記のように長部品２０５１Ｌと短部品２０５１Ｒが嵌合されると、長部品２０５１Ｌのヘッド部が外駒２０２Ｌの貫通孔２０２２の内壁面の段差部分に、また短部品２０５１Ｒのヘッド部が外駒２０２Ｒの貫通孔２０２２の内壁面の段差部分に各々フックされ、内駒１０１’に対し外駒２０２Ｌおよび外駒２０２Ｒの幅方向外側への動きが規制される。その結果、ユニット駒２０に対するユニット駒２０’の内駒１０１’の連結が行われる。
【００６９】
続いて、外駒２０２に対するキャップ１０７の装着が行われる。図１５はその際の手順を示した図である。なお、図１５においては、図１３における底面側が上面側となるように、幅方向を軸に１８０度回転が行われている。
【００７０】
まず、外駒２０２にキャップ１０７を被せる前に、外駒２０２の貫通孔１０２３に係止リング２０９を挿入する。その後、外駒２０２に対しキャップ１０７を図１５の矢印の方向にスライドさせ、外駒２０２の貫通孔１０２３の軸とキャップ１０７の貫通孔１０７１の軸がほぼ一致する位置までキャップ１０７を外駒２０２に被せる。その際、貫通孔１０２３内に収容された係止リング２０９の内径と、キャップ１０７の貫通孔１０７１の内径がほぼ同一となるように、それらのサイズが調整されている。
【００７１】
続いて、貫通孔１０７１を経由して貫通孔１０２３内に収容された係止リング２０９に対し、係止ピン２０８が挿入される。その際、係止ピン２０８の外壁が係止リング２０９を外側に押し広げ、係止リング２０９がその弾性により係止ピン２０８を外側から内側に締め付ける結果、係止ピン２０８が係止リング２０９にホールドされる。ところで、係止リング２０９はその外径がキャップ１０７の貫通孔１０７１の内径より大きいため、貫通孔１０７１を通過できない。従って、係止ピン２０８は係止リング２０９にホールドされた状態で貫通孔１０２３内に保持される。
【００７２】
上記のように貫通孔１０２３内に保持された状態の係止ピン２０８は、その貫通孔１０７１側の端部が外駒２０２から貫通孔１０７１に突起するようにその長手方向の長さが調整されている。従って、その突起した係止ピン２０８の端部が貫通孔１０７１内に嵌り込むことにより、外駒２０２に対するキャップ１０７の係止が行われる。
【００７３】
以上の手順により、連結駒アセンブリ２１の組み立てが完了する。以上述べた連結駒アセンブリ２１の組み立ての手順に従い、複数のユニット駒２０を連結方向に順次連結していくことでバンド２が構成される。
【００７４】
バンド１においては係止ピン１０８のヘッド部を押下することにより容易にキャップ１０７の着脱が可能であり、特別な工具を用いることなく容易のユニット駒１０単位の着脱が可能であった。これに対し、バンド２においてはいったん係止ピン２０８によるキャップ１０７の固定が行われると、係止ピン２０８の取り外しは容易ではない。従って、バンド２におけるユニット駒２０間の連結の解除は困難である。従って、バンド２の構造は、ユーザによる長さ調整を要しない用途に用いられる場合に好適である。
【００７５】
なお、バンド２においてはバンド１の連結ピン１０５に代えて、長部品２０５１Ｌと短部品２０５１Ｒとの嵌合により構成される連結ピン２０５が用いられることにより、バンド１と比較し、内駒１０１と外駒２０２との幅方向における位置決めおよびその固定がより確実に行われる。
【００７６】
［２．変形例］
上述した実施形態は本発明の技術的思想の範囲内で様々に変形することができる。以下にそれらの変形の例を示す。
【００７７】
上述した第１実施形態および第２実施形態においては、外駒１０２は係止ピン１０８を、また外駒２０２は係止リング２０９および係止ピン２０８を収容するための貫通孔１０２３を備えるものとしたが、その貫通孔に代えて、外駒１０２もしくは外駒２０２が、図１もしくは図１１における底面側に開口する有底穴を備える構成が採用されてもよい。
【００７８】
また、上述した第１実施形態においては、係止ピン１０８として、図５に示したような円筒形状のケーシング１０８１内にヘッド部１０８２およびコイルばね１０８３を収容した構造のいわゆるピボットピンが採用されるものとしたが、押下によりヘッド部が下がる他の構造を備えた他の様々な構造の係止ピンが係止ピン１０８に代えて利用可能である。例えば、貫通孔１０２３が有底穴である場合、図１６に示すようなコイルばねを伴う段ピンの構造を備えた係止ピンが採用されてもよい。
【００７９】
また、上述した第１実施形態において採用されている係止ピン１０８は、そのヘッド部が外部から所定以上の力で押下されている間のみその長さが縮む構造を備えている。それに代えて、例えばヘッド部が外部から所定以上の力で押下された際にその長さが縮み、その力が解放された後もその縮んだ長さを保ち、再度、ヘッド部が外部から所定以上の力で押下された際にその長さが元の長さに戻るように伸びる構造を備える係止ピンが用いられてもよい。
【００８０】
また、上述した第２実施形態においては、係止ピン２０８は係止リング２０９に圧入されることにより係止リング２０９にホールドされ、係止リング２０９を介して貫通孔１０２３内に保持されるものとしたが、貫通孔１０２３に対し直接挿入され、圧入等により貫通孔１０２３内に保持される構成が採用されてもよい。
【００８１】
また、上述した第２実施形態においては、係止ピン２０８はいったん係止リング２０９に圧入されると、その取り外しが困難であるが、例えば図１７に示すように、係止ピン２０８の貫通孔１０２３の開口側に配置される端部にネジ穴を設け、そのネジ穴にボルト等をねじ込んだ後、ねじ込んだボルト等を介して係止ピン２０８を係止リング２０９から引き出すことにより、係止ピン２０８の取り外しを可能としてもよい。そうすれば、バンド２においても、長さ調整のためのユニット駒２０の着脱が比較的容易に可能となる。
【００８２】
また、上述した第１実施形態および第２実施形態における連結ピン１０３や第２実施形態における連結ピン２０５は、必ずしも互いに嵌合する２ピース構成である必要はなく、例えば単なる１本の棒状体を外駒２０２Ｌおよび外駒２０２Ｒに対しカシメ、圧入等により固定する構成など、他の様々な構成が採用可能である。
【００８３】
また、上述した第１実施形態における連結ピン１０５（単なる棒状体）に代えて、長手方向に伸びる方向に付勢がされたばね棒を使用してもよい。その場合、ばね棒である連結ピンが内側からキャップ１０７を外側に押圧し、外駒１０２とキャップ１０７との間に生じるガタ防止の効果がもたらされる。
【００８４】
また、上述した実施形態においては、ユニット駒１０もしくはユニット駒２０は、幅方向に外駒、内駒、外駒の３ピースの駒を備える構造であるものとしたが、それらの駒の数は３ピースに限られない。例えば、左外駒、第１の内駒、第２の内駒、第３の内駒、右外駒のように、５ピースの駒が幅方向に互い違いに配置され、それらが連結ピンにより連結された構造のユニット駒が採用されてもよい。その場合も、右外駒および左外駒の外側面に露出する連結ピンの端部を隠すように、キャップが右外駒および左外駒に被せられ、底面側から差し込まれる係止ピンにより当該キャップが右外駒もしくは左外駒に係止される点は上述した実施形態と同様である。
【００８５】
また、上述した第１実施形態におけるバンド１と第２実施形態におけるバンド２とを互いに連結させることにより、１本のバンドを構成するなど、それらを組み合わせてもよい。例えば、１本のバンドのうちユーザにより長さ調整が行われる部分にはバンド１を採用し、その他の部分にはバンド２を採用することにより、長さ調整が容易であり、かつ不用意に駒連結が外れることのない好適なバンドが実現される。
【００８６】
また、バンド１の構成要素とバンド２の構成要素とを一部交換することもまた、本発明の技術的思想の範囲内である。例えば、バンド１において、外駒１０２に代えて外駒２０２を、連結ピン１０５に代えて長部品２０５１Ｌおよび短部品２０５１Ｒから構成される連結ピン２０５を用いることにより、ユニット駒の連結およびその解除が比較的容易であり、かつ幅方向に並ぶ外駒２０２間の連結が強固なバンドが実現される。
【００８７】
なお、上述した実施形態および変形例において説明した形状、数量等は例示であって、それらにより本発明の技術的範囲が限定的に解釈されるべきではない。
【００８８】
また、上述した説明においては連結駒アセンブリを構成する各構成部の素材については言及していないが、例えば金属、セラミックスなど、その素材は限定されない。例えば、細かい加工を要するが、組み立て後には外部から視認できない部品（例えば、連結ピン１０５等）にはステンレス等の金属を用い、外部から視認される部品（例えば、内駒１０１やキャップ１０７等）にはセラミックスを用いることにより、バンドの全体の耐久性と高級感を維持しながら、そのコストを下げることが可能となる。
【産業上の利用可能性】
【００８９】
本発明にかかるバンドは、広く量産可能であるため、時計等の製造業において利用可能であるとともに、それらの製造業において製造されたバンドが一般消費者に対し販売されるため、小売業等のサービス業にも貢献する。
【符号の説明】
【００９０】
１…バンド、２…バンド、１０…ユニット駒、１１…連結駒アセンブリ、２０…ユニット駒、２１…連結駒アセンブリ、１０１…内駒、１０２…外駒、１０３…連結ピン、１０４…パイプ、１０５…連結ピン、１０６…パイプ、１０７…キャップ、１０８…係止ピン、２０２…外駒、２０５…連結ピン、２０８…係止ピン、２０９…係止リング
【図１】
2012165878.tif 000003
【図２】
2012165878.tif 000004
【図３】
2012165878.tif 000005
【図４】
2012165878.tif 000006
【図５】
2012165878.tif 000007
【図６】
2012165878.tif 000008
【図７】
2012165878.tif 000009
【図８】
2012165878.tif 000010
【図９】
2012165878.tif 000011
【図１０】
2012165878.tif 000012
【図１１】
2012165878.tif 000013
【図１２】
2012165878.tif 000014
【図１３】
2012165878.tif 000015
【図１４】
2012165878.tif 000016
【図１５】
2012165878.tif 000017
【図１６】
2012165878.tif 000018
【図１７】
2012165878.tif 000019